【手続補正書】
【提出日】平成18年6月15日(2006.6.15)
【手続補正１】
【補正対象書類名】特許請求の範囲
【補正対象項目名】全文
【補正方法】変更
【補正の内容】
【特許請求の範囲】
【請求項１】
波長分割多重伝送ネットワーク用の分散管理光ファイバーであって、
正の波長分散光ファイバー部分（Ｔ＋）と負の波長分散光ファイバー部分（Ｔ−）とが長手方向に繰り返され、
中央から周辺に向かって連続して、可変屈折率プロファイルを有するコア、次いで一定の屈折率を有するクラッドを含み、
コアとクラッドとの間の境界にあるコアの屈折率プロファイルの外側半径を十分に小さくして、光ファイバーがケーブルでシングルモードであるようにし、
光ファイバーの各部分（Ｔ＋、Ｔ−）は、波長１５５０ｎｍで、絶対値が１ｐｓ／ｎｍ．ｋｍから１０ｐｓ／ｎｍ．ｋｍの波長分散と、絶対値が０．０１５ｐｓ／ｎｍ２．ｋｍ未満の波長分散勾配と、３５μｍ２より大きい有効面積とを有し、
正の波長分散光ファイバー部分（Ｔ＋）と負の波長分散光ファイバー部分（Ｔ−）との間で、波長１５５０ｎｍにおける有効面積の相対的な差が７％未満であり、
光ファイバーの各部分（Ｔ＋、Ｔ−）は、波長１６２５ｎｍのとき、直径６０ｍｍで１００回巻きつけた場合の曲げ損失が、０．１ｄＢ未満である光ファイバー。
【請求項２】
光ファイバーの部分（Ｔ＋、Ｔ−）全体で、コアとクラッドとの間の境界にあるコアの屈折率プロファイルの外側半径（ｒ３）の平均値が１０．５μｍ未満であり、コアの屈折率プロファイルが３個の区間から構成されることを特徴とする、請求項１に記載の分散管理光ファイバー。
【請求項３】
コアの可変屈折率プロファイルが、中央から周辺に向かって連続して、
クラッドの屈折率より大きい最大屈折率を有する中央区間と、
クラッドの屈折率より小さい最小屈折率を有する埋め込み区間と、
クラッドの屈折率より大きく、中央区間の最大屈折率より小さい最大屈折率を有する環状区間とから構成されることを特徴とする、請求項２に記載の分散管理光ファイバー。
【請求項４】
中央区間が、台形またはアルファ形であることを特徴とする、請求項３に記載の分散管理光ファイバー。
【請求項５】
光ファイバーの部分（Ｔ＋、Ｔ−）全体で、中央区間の最大屈折率とクラッドの屈折率との差（Δｎ１）の平均値が、７．００×１０−３から１１．０×１０−３であり、
光ファイバーの部分（Ｔ＋、Ｔ−）全体で、クラッドの屈折率より大きい屈折率を有する中央区間の部分の半径（ｒ１）の平均値が、２．６５μｍから３．７０μｍであることを特徴とする、請求項３または４に記載の分散管理光ファイバー。
【請求項６】
屈折率プロファイルの半径の値が光ファイバーの部分（Ｔ＋、Ｔ−）全体の屈折率プロファイルの半径の値の平均値に対応する光ファイバーの中間部分に対して、半径ゼロと、クラッドの屈折率より大きい屈折率を有する中央区間部分の半径（ｒ１）との間で、クラッドの屈折率に対する屈折率差の積分値
【数１】
2004054291.tif 000001
が、２３．０×１０−３μｍより大きいことを特徴とする、請求項５に記載の分散管理光ファイバー。
【請求項７】
屈折率プロファイルの半径の値が光ファイバーの部分（Ｔ＋、Ｔ−）全体の屈折率プロファイルの半径の値の平均値に対応する光ファイバーの中間部分に対して、半径０と、クラッドの屈折率より大きい屈折率を有する中央区間の部分の半径（ｒ１）との間で、クラッドに対する屈折率差と半径との積の積分値の２倍の値
【数２】
2004054291.tif 000002
が、５８×１０−３から９９×１０−３μｍ２であることを特徴とする、請求項５または６に記載の分散管理光ファイバー。
【請求項８】
屈折率プロファイルの半径の値が光ファイバーの部分（Ｔ＋、Ｔ−）全体の屈折率プロファイルの半径の値の平均値に対応する光ファイバーの中間部分に対して、半径０とクラッドの屈折率より大きい屈折率を有する中央区間の部分の半径（ｒ１）との間で、クラッドの屈折率に対する屈折率差と半径の２乗との積の積分値の３倍の値
【数３】
2004054291.tif 000003
が、１５０×１０−３から３３５×１０−３μｍ３であることを特徴とする、請求項５または７に記載の分散管理光ファイバー。
【請求項９】
光ファイバーの部分（Ｔ＋、Ｔ−）全体で、埋め込み区間の最小屈折率とクラッドの屈折率との差（Δｎ２）の平均値が、−９．０×１０−３から−２．５×１０−３であり、
光ファイバーの部分（Ｔ＋、Ｔ−）全体で、埋め込み区間の外側半径（ｒ２）の平均値が、４．００μｍから８．１０μｍであることを特徴とする、請求項３から８のいずれか一項に記載の分散管理光ファイバー。
【請求項１０】
屈折率プロファイルの半径の値が光ファイバーの部分（Ｔ＋、Ｔ−）全体の屈折率プロファイルの半径の値の平均値に対応する光ファイバーの中間部分に対して、クラッドの屈折率より大きい屈折率を有する中央区間部分の半径（ｒ１）と、埋め込み区間の外側半径（ｒ２）との間で、クラッドの屈折率に対する屈折率差の積分値
【数４】
2004054291.tif 000004
が、−２２．０×１０−３から−８．０×１０−３μｍであることを特徴とする、請求項９に記載の分散管理光ファイバー。
【請求項１１】
光ファイバーの部分（Ｔ＋、Ｔ−）全体で、環状区間の最大屈折率とクラッドの屈折率との差（Δｎ３）の平均値が、０．５０×１０−３から７．５×１０−３であり、
光ファイバーの部分（Ｔ＋、Ｔ−）全体で、環状区間の外側半径（ｒ３）の平均値が、６．７０から１０．５０μｍであることを特徴とする、請求項３から１０のいずれか一項に記載の分散管理光ファイバー。
【請求項１２】
屈折率プロファイルの半径の値が光ファイバーの部分（Ｔ＋、Ｔ−）全体の屈折率プロファイルの半径の値の平均値に対応する光ファイバーの中間部分に対して、埋め込み区間の外側半径（ｒ２）と、環状区間の外側半径（ｒ３）との間で、クラッドの屈折率に対する屈折率差の積分値
【数５】
2004054291.tif 000005
が、１．０×１０−３μｍから１５×１０−３μｍであることを特徴とする、請求項１１に記載の分散管理光ファイバー。
【請求項１３】
光ファイバーの部分（Ｔ＋、Ｔ−）全体で、コアとクラッドとの間の境界であるコアの屈折率プロファイルの外側半径（ｒ４）の平均値が、１６μｍ未満であり、コアの屈折率プロファイルが４個の区間からなることを特徴とする、請求項１に記載の分散管理光ファイバー。
【請求項１４】
コアの可変屈折率プロファイルが、中央から周辺に向かって連続して、
クラッドの屈折率より大きい最大屈折率を有する中央区間と、
クラッドの屈折率より小さい最小屈折率を有する第一の埋め込み区間と、
クラッドの屈折率より大きく、中央区間の最大屈折率より小さい最大屈折率を有する環状区間と、
クラッドの屈折率より小さい最小屈折率を有する第二の埋め込み区間とから構成されることを特徴とする、請求項１３に記載の分散管理光ファイバー。
【請求項１５】
光ファイバーの部分（Ｔ＋、Ｔ−）全体で、中央区間の最大屈折率とクラッドの屈折率との差（Δｎ１）の平均値が、７．０×１０−３から１０．０×１０−３であり、
光ファイバーの部分（Ｔ＋、Ｔ−）全体で、クラッドの屈折率より大きい屈折率を有する中央区間の部分の半径（ｒ１）の平均値が、２．５μｍから３．５μｍであることを特徴とする、請求項１４に記載の分散管理光ファイバー。
【請求項１６】
光ファイバーの部分（Ｔ＋、Ｔ−）全体で、第一の埋め込み区間の最小屈折率とクラッドの屈折率との差（Δｎ２）の平均値が、−９．０×１０−３から−２．５×１０−３であり、
光ファイバーの部分（Ｔ＋、Ｔ−）全体で、埋め込み区間の外側半径（ｒ２）の平均値が、４．１μｍから７．０μｍであることを特徴とする、請求項１４または１５に記載の分散管理光ファイバー。
【請求項１７】
光ファイバーの部分（Ｔ＋、Ｔ−）全体で、環状区間の最大屈折率とクラッドの屈折率との差（Δｎ３）の平均値が、０．５×１０−３から５．０×１０−３であり、
光ファイバーの部分（Ｔ＋、Ｔ−）全体で、環状区間の外側半径（ｒ３）の平均値が、９．０μｍから１３．０μｍであることを特徴とする、請求項１４から１６のいずれか一項に記載の分散管理光ファイバー。
【請求項１８】
光ファイバーの部分（Ｔ＋、Ｔ−）全体で、第二の埋め込み区間の最小屈折率とクラッドの屈折率との差（Δｎ４）の平均値が、−９．０×１０−３から−２．０×１０−３であり、
光ファイバーの部分（Ｔ＋、Ｔ−）全体で、第二の埋め込み区間の外側半径（ｒ４）の平均値が、１２．０μｍから１６．０μｍであることを特徴とする、請求項１４から１７のいずれか一項に記載の分散管理光ファイバー。
【請求項１９】
前記分散管理光ファイバーが、同一プリフォームの特性の修正により、線引きによって得られることを特徴とする、請求項１から１８のいずれか一項に記載の分散管理光ファイバー。
【請求項２０】
正の波長分散光ファイバーと負の波長分散光ファイバーとの間の外側半径の相対的な差が、１１％未満に選択されることを特徴とする、請求項１から１９のいずれか一項に記載の分散管理光ファイバー。
【請求項２１】
光ファイバーが、波長１５５０ｎｍで０．３５ｄＢ／ｋｍ以下の減衰を有することを特徴とする、請求項１から２０のいずれか一項に記載の分散管理光ファイバー。
【請求項２２】
光ファイバーが、波長１５５０ｎｍで、０．２ｐｓ／ｋｍ１／２以下の偏光モード分散を有し、好適には０．１ｐｓ／ｋｍ１／２以下で、さらには０．０５ｐｓ／ｋｍ１／２以下の偏光モード分散を有することを特徴とする、請求項１から２１のいずれか一項に記載の分散管理光ファイバー。
【請求項２３】
光ファイバーが、前記光ファイバーを構成する任意の一つの部分に対して、波長１６２５ｎｍで半径１０ｍｍの場合に測定される曲げ損失が４００ｄＢ／ｍ未満であることを特徴とする、請求項１から２２のいずれか一項に記載の分散管理光ファイバー。